(57)【要約】【課題】支持シート上に横たわる際の使用者の負担を効果的に軽減することが可能な液圧式マッサージ装置およびネット部材を提供する。【解決手段】密閉空間内に充填された液体を使用者に噴き付けてマッサージを行うウォーターベッド１は、液体の上方に配置され使用者を支持する支持シート１１０と、支持シート１１０の少なくとも一部に被せられ、糸状の部材により網目が形成されるネット１３１と、ネット１３１が張られた状態で、ネット１３１を装置本体に固定する固定部材１４０、１５０と、を備える。ネット１３１は、装置本体に装着された状態において、支持シート１１０よりも沈み込むことなく使用者を支持し、使用者に噴き付けられる噴流の圧力がネット１３１の網目を介して使用者に付与される。これにより、支持シート１１０上に横たわる際の使用者の負担を効果的に軽減することができる。【選択図】図３
2015112349.tif 000002
【特許請求の範囲】
【請求項１】
密閉空間内に充填された液体を使用者に噴き付けてマッサージを行う液圧式マッサージ装置において、
前記液体の上方に配置され使用者を支持する支持シートと、
前記支持シートの少なくとも一部に被せられ、糸状の部材により網目が形成されるネット部材と、
前記ネット部材が張られた状態で、前記ネット部材を装置本体に装着する装着手段と、を備え、
前記ネット部材は、前記装置本体に装着された状態において、前記支持シートよりも沈み込むことなく使用者を支持し、使用者に噴き付けられる噴流の圧力が前記ネット部材の前記網目を介して使用者に付与される、
ことを特徴とする液圧式マッサージ装置。
【請求項２】
請求項１に記載の液圧式マッサージ装置において、
前記装着手段は、前記ネット部材の端部に連設された固定部材を備え、
前記固定部材が前記装置本体側の被固着部に固着されることにより、前記ネット部材が前記装置本体に装着される、
ことを特徴とする液圧式マッサージ装置。
【請求項３】
請求項２に記載の液圧式マッサージ装置において、
前記液体を収容する水槽を支持する支持枠を備え、
前記被固着部は、前記支持枠に設けられている、
ことを特徴とする液圧式マッサージ装置。
【請求項４】
請求項３に記載の液圧式マッサージ装置において、
前記支持枠を側方から囲う囲い部材をさらに備え、
前記固定部材は、前記囲い部材を介して、前記支持枠に固定される、
ことを特徴とする液圧式マッサージ装置。
【請求項５】
請求項４に記載の液圧式マッサージ装置において、
前記囲い部材の外側面には、凹部が形成され、
前記固定部材には、ネット部材の端部に設けられた孔に挿入される突部が設けられ、
前記固定部材は、前記突部が前記凹部に収容されるようにして、前記被固着部に固着される、
ことを特徴とする液圧式マッサージ装置。
【請求項６】
請求項２ないし５の何れか一項に記載の液圧式マッサージ装置において、
前記固定部材には、前記ネット部材を引っ張る方向に延びる長孔が形成され、
前記固定部材は、前記長孔を介して、前記被固着部にネジ留めされる、
ことを特徴とする液圧式マッサージ装置。
【請求項７】
請求項２ないし６の何れか一項に記載の液圧式マッサージ装置において
前記固定部材を覆うカバーをさらに備える、
ことを特徴とする液圧式マッサージ装置。
【請求項８】
液圧式マッサージ装置の支持シートに被せられるネット部材であって、
糸状の部材により網目が形成されるネット部と、
前記ネット部の一端に連設された第１の帯部と、
前記ネット部の他端に連設された第２の帯部と、
前記第１の帯部に長手方向に並ぶように設けられた複数の孔と、
前記第２の帯部に長手方向に並ぶように設けられた複数の孔と、を有する、
ことを特徴とするネット部材。
【請求項９】
液圧式マッサージ装置の支持シートに被せられるネット部材であって、
糸状の部材により網目が形成されるネット部と、
前記ネット部の一端に連設され、当該ネット部材を前記液圧式マッサージ装置に取り付けるための第１の固定部と、
前記ネット部の他端に連設され、当該ネット部材を前記液圧式マッサージ装置に取り付けるための第２の固定部と、を備え、
前記第１の固定部に前記ネット部材を引っ張る方向に延びる長孔が形成され、前記長孔を介して前記液圧式マッサージ装置にネジ留めされることにより、前記第１の固定部が前記液圧式マッサージ装置に固定される、
ことを特徴とするネット部材。
【発明の詳細な説明】
【技術分野】
【０００１】
本発明は、支持シート上に横たわる使用者に液圧による刺激を与える液圧式マッサージ装置および当該液圧式マッサージ装置の支持シートに被せられるネット部材に関する。
【背景技術】
【０００２】
従来、支持シート上に横たわる使用者に液圧による刺激を与える液圧式マッサージ装置が知られている（たとえば、特許文献１）。この種のマッサージ装置では、水槽の開口が支持シートにより覆われて密閉空間が形成され、この空間に水等の液体が充填される。さらに、水槽の底部に噴射ノズルが配置され、この噴射ノズルから支持シートに向かって液体が噴射される。こうして、支持シート上に横たわる使用者に、支持シートを介して液圧による刺激が与えられ、使用者にマッサージが施される。
【先行技術文献】
【特許文献】
【０００３】
【特許文献１】特開２０１０−２５３２８８号公報
【発明の概要】
【発明が解決しようとする課題】
【０００４】
上記構成の液圧式マッサージ装置では、使用者に効果的に刺激を与えるために、支持シートが弾性に富む素材から構成されている。このため、支持シートは、上面を押されると比較的容易に撓み、使用者が一人で支持シート上に横たわるには、ある程度の労力が必要となる。
【０００５】
また、使用者が高齢者等であるような場合、着座時に、使用者の予想を超えて支持シートが大きく撓むと、使用者がバランスを崩して、円滑な動作が阻害されることが起こり得る。このため、高齢者には介添者の補助が必要となるが、介添者の補助を受けたとしても、高齢者には、比較的大きな労力が掛ってしまう。
【０００６】
上記課題に鑑み、本発明は、支持シート上に横たわる際の使用者の負担を効果的に軽減することが可能な液圧式マッサージ装置およびネット部材を提供することを目的とする。
【課題を解決するための手段】
【０００７】
本発明の第１の態様は、密閉空間内に充填された液体を使用者に噴き付けてマッサージを行う液圧式マッサージ装置に関する。この態様に係る液圧式マッサージ装置は、前記液体の上方に配置され使用者を支持する支持シートと、前記支持シートの少なくとも一部に被せられ、糸状の部材により網目が形成されるネット部材と、前記ネット部材が張られた状態で、前記ネット部材を装置本体に装着する装着手段と、を備える。前記ネット部材は、前記装置本体に装着された状態において、前記支持シートよりも沈み込むことなく使用者を支持し、使用者に噴き付けられる噴流の圧力が前記ネット部材の前記網目を介して使用者に付与される。
【０００８】
本態様に係る液圧式マッサージ装置によれば、着座時にネット部材によって使用者が支持されるため、使用者が支持シートに直接着座する場合に比べて、使用者の沈み込みが抑制される。これにより、使用者は、円滑に支持シートに着座することができるため、使用者が支持シート上に横たわる際の負担を効果的に軽減することができる。
【０００９】
本態様に係る液圧式マッサージ装置において、前記装着手段は、前記ネット部材の端部
に連設された固定部材を備える構成とされ得る。この場合、前記固定部材が前記装置本体側の被固着部に固着されることにより、前記ネット部材が前記装置本体に装着される。これにより、安定的にネット部材を装置本体に固定することができる。
【００１０】
本態様に係る液圧式マッサージ装置において、前記液体を収容する水槽を支持する支持枠を備える構成とされ得る。この場合、前記被固着部は、前記支持枠に設けられる。こうすると、水槽を支持することが可能な頑丈な支持枠に支持シートが固定されるため、より安定的にネット部材を固定することができる。
【００１１】
本態様に係る液圧式マッサージ装置において、前記支持枠を側方から囲う囲い部材をさらに備える構成とされ得る。この場合、前記固定部材は、前記囲い部材を介して、前記支持枠に固定される。こうすると、囲い部材を備える液圧式マッサージ装置であっても、安定的にネット部材を固定することができる。
【００１２】
また、この場合、前記囲い部材の外側面には、凹部が形成され、前記固定部材には、ネット部材の端部に設けられた孔に挿入される突部が設けられ、前記固定部材は、前記突部が前記凹部に収容されるようにして、前記被固着部に固着される構成とされ得る。こうすると、凹部に突部が収容されるため、使用者が突部に接触することを防ぐことができる。また、凹部に突部が収容されるため、固定部材を、囲い部材の外側面に密着させて取り付けることができ、囲い部材の外側面から固定部材が突出する突出量を抑えることができる。このため、使用者が液圧式マッサージ装置に移乗する際に、固定部材が邪魔になりにくく、安全性を高めることができる。
【００１３】
本態様に係る液圧式マッサージ装置において、前記固定部材には、前記ネット部材を引っ張る方向に延びる長孔が形成され、前記固定部材は、前記長孔を介して、前記被固着部にネジ留めされる構成とされ得る。こうすると、長孔に沿って、固定部材をネット部材を引っ張る方向に移動させることができる。これにより、ネット部材の張力を調整することができる。
【００１４】
本態様に係る液圧式マッサージ装置において、前記固定部材を覆うカバーをさらに備える構成とされ得る。こうすると、より安全性を高めることができる。
【００１５】
本発明の第２の態様は、液圧式マッサージ装置の支持シートに被せられるネット部材に関する。この態様に係るネット部材は、糸状の部材により網目が形成されるネット部と、前記ネット部の一端に連設された第１の帯部と、前記ネット部の他端に連設された第２の帯部と、前記第１の帯部に長手方向に並ぶように設けられた複数の孔と、前記第２の帯部に長手方向に並ぶように設けられた複数の孔と、を有する。
【００１６】
本発明の第３の態様は、液圧式マッサージ装置の支持シートに被せられるネット部材に関する。この態様に係るネット部材は、糸状の部材により網目が形成されるネット部と、前記ネット部の一端に連設され、当該ネット部材を前記液圧式マッサージ装置に取り付けるための第１の固定部と、前記ネット部の他端に連設され、当該ネット部材を前記液圧式マッサージ装置に取り付けるための第２の固定部とを備える。ここで、前記第１の固定部には前記ネット部材を引っ張る方向に延びる長孔が形成され、前記長孔を介して前記液圧式マッサージ装置にネジ留めされることにより、前記第１の固定部が前記液圧式マッサージ装置に固定される。
【発明の効果】
【００１７】
以上のとおり、本発明によれば、支持シート上に横たわる際の使用者の負担を効果的に軽減することが可能な液圧式マッサージ装置およびネット部材を提供することができる。
【００１８】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００１９】
【図１】実施の形態に係るウォーターベッドの構成を示す分解斜視図である。
【図２】実施の形態に係るポンプと、回路基板と、温度調節器が支持枠に設置された状態を示す斜視図、および、水槽に噴射部が設置された状態を模式的に示す側面図である。
【図３】実施の形態に係る支持シートと、筐体と、支持カバーと、固定部材の構成を示す斜視図である。
【図４】実施の形態に係る固定部材を装着する過程を説明する図である。
【図５】実施の形態に係る支持カバーと固定部材が装着された状態の構成を示す図、および、カバーの構成を示す図である。
【図６】実施の形態に係るカバーを装着する過程を説明する図である。
【図７】実施の形態に係る組み立て後のウォーターベッドを示す斜視図である。
【図８】実施の形態に係るウォーターベッドの使用例を示す斜視図である。
【図９】実施の形態に係るウォーターベッドの作用を模式的に示す図である。
【図１０】実施の形態に係るウォーターベッドの作用を模式的に示す図である。
【図１１】変更例１に係る支持枠の構成を示す斜視図、および、筐体と、固定部材の構成を示す斜視図である。
【図１２】変更例２に係る支持カバーの構成を示す斜視図、および、筐体の構成を示す斜視図である。
【図１３】変更例３に係る支持枠の構成を示す斜視図、および、筐体と、固定部材の構成を示す斜視図である。
【図１４】変更例３に係る固定部材を装着する過程を説明する図である。
【図１５】変更例３に係る組み立て後のウォーターベッドを示す斜視図である。
【図１６】変更例４に係る支持枠の構成を示す斜視図、および、筐体と、固定部材の構成を示す斜視図である。
【図１７】変更例４に係る固定部材を装着する過程を説明する図である。
【図１８】変更例４に係る組み立て後のウォーターベッドを示す斜視図である。
【図１９】変更例５に係る筐体と、固定部材の構成を示す斜視図、および、固定部材を装着する過程を説明する図である。
【図２０】変更例５に係る組み立て後のウォーターベッドを示す斜視図である。
【発明を実施するための形態】
【００２０】
以下、本発明の実施の形態につき図面を参照して説明する。
【００２１】
以下に示す実施の形態において、ウォーターベッド１は、請求項に記載の「液圧式マッサージ装置」に相当する。橋架部材２３、２５〜２７は、請求項に記載の「被固着部」に相当する。筐体１２０は、請求項に記載の「囲い部材」に相当する。ネット１３１は、請求項に記載の「ネット部材」に相当する。帯部１３２、１３３は、請求項に記載の「第１の帯部」および「第２の帯部」に相当する。固定部１３５、１３６は、請求項に記載の「第１の固定部」および「第２の固定部」に相当する。橋架部材２３、２５〜２７、帯部１３２、１３３および固定部１３５、１３６は、請求項に記載の「装着手段」に相当する。帯部１３２、１３３および固定部１３５、１３６は、請求項に記載の「固定部材」に相当する。ただし、上記請求項と本実施の形態との対応の記載は、あくまで一例であって、請求項に係る発明を本実施の形態に限定するものではない。
【００２２】
図１は、本実施の形態に係るウォーターベッド１の構成を示す分解斜視図である。便宜
上、図１には、互いに直交するＸ、Ｙ、Ｚ軸が示されている。Ｘ−Ｙ平面は、水平面に平行で、Ｚ軸方向は鉛直方向である。
【００２３】
図１に示すように、ウォーターベッド１は、水槽１０と、支持枠２０とを備える。
【００２４】
水槽１０は、上面が開放された縦長の船体からなっている。水槽１０には、上面から所定深さの位置に、Ｘ−Ｙ平面に平行な２つの棚１０ａが設けられ、これら棚１０ａよりもさらに深い位置に、Ｘ−Ｙ平面に平行な底１０ｂが設けられている。Ｘ軸正側の棚１０ａには、Ｘ軸正側の内壁面には、２つの孔１１、１２が設けられている。また、Ｘ軸負側の内壁面には、孔１３（図２（ｂ）参照）が設けられ、Ｘ軸負側の棚１０ａ（図２（ｂ）参照）には、孔１４（図２（ｂ）参照）が設けられている。また、水槽１０には、Ｙ軸正側の側面からサーミスタ１５が挿入され、サーミスタ１５の温度検出部が水槽１０の内部に位置付けられている。
【００２５】
支持枠２０は、上面が開放された直方形状の枠体であり、Ｘ−Ｙ平面において矩形状形状を有する上部材２１と下部材２２を備えている。支持枠２０は、たとえば、金属等の、剛性の高い素材により形成される。支持枠２０に上側から水槽１０を嵌め込むと、水槽１０の外周縁が上部材２１に載置され、水槽１０が支持枠２０によって支持される。支持枠２０のＸ軸正側および負側の両端付近には、それぞれ、上部材２１と下部材２２を橋架するように橋架部材２３が形成されている。橋架部材２３は、上部材２１、下部材２２よりも外側に突出している。橋架部材２３の上部には、それぞれ、ネジ孔２３ａが形成されている。また、支持枠２０には、支持板２４が溶接によって取り付けられている。支持板２４には、ポンプ３０と回路基板４０（図２（ａ）参照）、および、温度調節器５０（図２（ｂ）参照）が設置される。
【００２６】
組立時には、水槽１０が、上側から支持枠２０に嵌め込まれ、ポンプ３０と、回路基板４０と、温度調節器５０が支持板２４に設置される。
【００２７】
図２（ａ）は、ポンプ３０と、回路基板４０と、温度調節器５０が支持板２４に設置された状態を示す斜視図である。
【００２８】
図２（ａ）を参照して、ポンプ３０、回路基板４０および温度調節器５０は、支持板２４に設置される。ポンプ３０の取込口３１と排出口３２は、それぞれ、配管を介して水槽１０の孔１３、１４（図２（ｂ）参照）に連結される。温度調節器５０の取込口と排出口は、それぞれ、配管を介して水槽１０の孔１１と孔１２に連結される。温度調節器５０は、孔１１から取り込んだ液体（本実施の形態では水）を、加温部で加温し、または、冷却部で冷却した後、孔１２から排出する。加温および冷却の何れが実行されるかは、サーミスタ１５により検出された温度が所定の温度となるように、回路基板４０のＣＰＵにより決定される。
【００２９】
以上の組み立てが行われた後、水槽１０に噴射部６０（図２（ｂ）参照）が設置される。
【００３０】
図２（ｂ）は、水槽１０に噴射部６０が設置された状態を模式的に示す平面図である。なお、図２（ｂ）では、便宜上、支持枠２０の図示が省略されている。
【００３１】
噴射部６０は、水を噴射する噴射口６１が設けられている。噴射口６１には、給水口（図示せず）を介して水が供給される。この給水口は、ゴム管により水槽１０の孔１４に連結されている。したがって、ポンプ３０が駆動されると、孔１４から取り込まれた水が、噴射口６１から噴射される。噴射口６１は、所定の駆動機構により、回転しつつ、Ｙ軸方
向に移動される。
【００３２】
しかる後、水槽１０の上部を覆うように、支持シート１１０（図３参照）が水槽１０に付設される。また、支持枠２０の周囲を覆うように、筐体１２０（図３参照）が設置される。
【００３３】
図３は、支持シート１１０と、筐体１２０と、支持カバー１３０と、固定部材１４０、１５０の構成を示す斜視図である。
【００３４】
支持シート１１０には、給水用の孔１１１と、この孔１１１を塞ぐ蓋１１２が設けられている。支持シート１１０は、弾性に富む材料から構成され、液漏れがないよう水槽１０に付設される。
【００３５】
筐体１２０は、たとえば、剛性が高くない樹脂材等により薄板状に形成される。筐体１２０のＸ軸正側の側面の両端付近には、ネジ孔１２１と、開口１２２が形成されている。また、筐体１２０のＸ軸負側の側面の両端付近にも、同様にネジ孔１２３と、開口１２４が形成されている。Ｘ軸正側の２つのネジ孔１２１は、それぞれ、支持枠２０のＸ軸正側のネジ孔２３ａに対向し、Ｘ軸負側の２つのネジ孔１２３は、それぞれ、支持枠２０のＸ軸負側のネジ孔２３ａに対向する。
【００３６】
支持カバー１３０は、支持シート１１０のＸ軸方向の幅よりもやや広い幅を有し、ネット１３１と、ネット１３１の両端に連設された帯部１３２、１３３とを備える。ネット１３１は、Ｘ軸方向およびＹ軸方向に延びる複数の糸状の部材が直交して張られるようにして形成されている。ネット１３１には、複数の糸状の部材が直交して張られることにより、複数の網目が形成されている。ネット１３１は、ある程度伸縮が可能な素材で形成されており、網目の間隔がやや広くなるよう張られている。帯部１３２、１３３は、帯状の可撓性部材からなっており、耐久性のある素材により形成されている。帯部１３２、１３３は、それぞれ、ネット１３１を筐体１２０に固定するための多数の孔１３２ａ、１３３ａが形成されている。なお、多数の孔１３２ａ、１３３ａは、リング状の金具等によって、補強されているのが望ましい。
【００３７】
固定部材１４０、１５０は、支持カバー１３０を筐体１２０に組付けるための部材である。固定部材１４０、１５０は、Ｘ軸方向に延びる板状の形状を有している。固定部材１４０、１５０には、それぞれ、多数の突部１４１、１５１が形成されている。突部１４１、１５１は、鉤状となっている。固定部材１４０の両端には、それぞれ、長孔１４２が形成されている。固定部材１５０の両端には、それぞれ、丸孔１５２が形成されている。
【００３８】
図４（ａ）〜図４（ｃ）は、固定部材１４０を装着する過程を説明する図である。図４（ａ）は、固定部材１４０の装着前のＸＹ平面に平行な面の断面図、図４（ｂ）は、固定部材１４０の装着後のＸＹ平面に平行な面の断面図である。図４（ｃ）は、固定部材１４０の装着後のＸ軸正側の側面図である。なお、図４（ａ）〜図４（ｃ）では、筐体１２０の１つの角の周辺が拡大して示されている。また、図４（ａ）〜図４（ｃ）では、水槽１０（図１参照）の図示が省略されている。
【００３９】
筐体１２０と支持枠２０の間には、支持シート１１０（図３参照）を水槽１０（図２（ａ）参照）に固定する部材（図示せず）の配置のために、所定の隙間が存在する。支持枠２０の橋架部材２３は、下部材２２よりも外側に突出しているため、筐体１２０と略当接している。上記のように、筐体１２０が装着された状態でネジ孔１２１は、支持枠２０のネジ孔２３ａの位置と整合している。
【００４０】
組立時には、固定部材１４０が、Ｘ軸正側から筐体１２０の側面に押し当てられ、長孔１４２の略中央よりもややＺ軸負側に進んだ位置にネジ孔１２１が位置付けられる。この状態で、長孔１４２およびネジ孔１２１を介して、橋架部材２３のネジ孔２３ａにネジ１４３が螺着される。なお、図４（ａ）〜図４（ｃ）では、筐体１２０のＹ軸負側の角について説明したが、Ｙ軸正側の角についても同様にネジ１４３が、長孔１４２およびネジ孔１２１を介して、橋架部材２３のネジ孔２３ａに螺着される。これにより、固定部材１４０が、剛性の高い支持枠２０に対して一時的に固定される。なお、このとき、ネジ１５３は、緩く螺着されており、図４（ｃ）に示すように、固定部材１４０は、上下方向に移動可能となっている。
【００４１】
また、図３に示すように、Ｘ軸負側についても、固定部材１５０が筐体１２０の側面に押し当てられ、ネジ１５３が、丸孔１５２およびネジ孔１２３を介して、橋架部材２３のネジ孔２３ａ（図１参照）に螺着される。これにより、固定部材１５０が、剛性の高い支持枠２０に対して固定される。なお、固定部材１５０は、筐体１２０のネジ孔１２３に対応する丸孔１５２の形状が丸となっているため、ネジ１５３による螺着後は、上下左右方向に移動することはない。
【００４２】
そして、帯部１３２の孔１３２ａが固定部材１４０の突部１４１に通され、また、帯部１３３の孔１３３ａが固定部材１５０の突部１５１に通される。これにより、筐体１２０に、支持カバー１３０が装着される。
【００４３】
図５（ａ）は、筐体１２０に支持カバー１３０と固定部材１４０が装着された状態の構成を示す図である。図５（ｂ）は、カバー１６０、１７０の構成を示す図である。
【００４４】
図５（ａ）を参照して、支持カバー１３０が筐体１２０に装着されると、ネット１３１の撓みがなくなるように、固定部材１４０が下方向に降ろされる。このとき、固定部材１４０の上下方向の移動量を調整することにより、使用者が支持カバー１３０を介して支持シート１１０に着座したときに、支持カバー１３０が支持シート１１０よりも沈み込むことがないように、ネット１３１の張力が調整される。
【００４５】
こうして、ネット１３１の張力が調整された状態で、固定部材１４０のネジ１４３が締められ、固定部材１４０が支持枠２０（図２（ａ）参照）に固着される。その後、図５（ｂ）に示すように、固定部材１４０、１５０（図３参照）の突部１４１、１５１（図３参照）を覆うようにカバー１６０、１７０が筐体１２０に装着される。
【００４６】
カバー１６０、１７０は、それぞれ、Ｘ−Ｚ平面による断面形状が円弧状となっている。カバー１６０、１７０には、それぞれ、切り欠き１６１、１７１が形成されている。また、カバー１６０、１７０には、それぞれ、両端に鍔部１６２、１７２が形成されている。
【００４７】
図６（ａ）〜図６（ｃ）は、カバー１６０を装着する過程を説明する図である。図６（ａ）は、カバー１６０の装着前のＸＹ平面に平行な面の断面図、図６（ｂ）は、カバー１６０の装着後のＸＹ平面に平行な面の断面図である。図６（ｃ）は、カバー１６０の装着後のＸＺ平面に平行な面の断面図である。なお、図６（ａ）〜図６（ｃ）では、筐体１２０の１つの角の周辺が拡大して示されている。また、図６（ａ）〜図６（ｃ）では、水槽１０（図１参照）の図示が省略されている。
【００４８】
カバー１６０の鍔部１６２のＸ軸方向の幅は、開口１２２のＸ軸方向の幅よりも長い。カバー１６０の鍔部１６２の先端には、Ｙ軸正側に突出する係合部１６２ａが形成されている。筐体１２０の開口１２２の後端（Ｘ軸負側）のには、Ｘ軸負側に突出する被係合部
１２２ａが形成されている。係合部１６２ａの外径は、開口１２２の内径よりも僅かに小さい。また、Ｙ軸負側の係合部１６２ａとＹ軸正側の係合部１６２ａ（図５（ｂ）参照）の間隔は、Ｙ軸負側の係合部１６２ａとＹ軸正側の係合部１６２ａ（図５（ｂ）参照）の間隔よりもやや狭い。
【００４９】
組立時には、カバー１６０の鍔部１６２が変形するように撓まされた状態で、鍔部１６２が開口１２２に挿入される。カバー１６０が筐体１２０の側面に当接するまで押し込まれると、係合部１６２ａが、開口１２２よりもＹ軸正側に位置付けられる。こうすると、係合部１６２ａが被係合部１２２ａと係合し、Ｘ軸方向へのカバー１６０の移動が抑制される。こうして、カバー１６０が筐体１２０に取り付けられる。図５（ｂ）に示すカバー１７０についても、カバー１６０と同様にして筐体１２０に固着される。こうして、ウォーターベッド１の組み立てが完了する。
【００５０】
図７は、組み立て後のウォーターベッド１を示す斜視図である。
【００５１】
筐体１２０には、操作者による入力を受け付けると共に、ウォーターベッド１の動作状態を表示するための表示入力部１８０が設置されている。表示入力部１８０は、たとえば、タッチパネルによって構成される。表示入力部１８０は、電気配線により、回路基板４０（図２（ｂ）参照）に接続されている。
【００５２】
上記のようにしてウォーターベッド１が組み立てられた後、水槽１０が満水状態となるまで、孔１１１から、水槽１０に水が供給される。その後、孔１１１が蓋１１２によって塞がれる。こうして、水槽１０と支持シート１１０とにより形成される密閉空間に水が充填される。
【００５３】
図８（ａ）、（ｂ）は、使用者がウォーターベッド１に着座した状態と、ウォーターベッド１上に横たわった状態を示す図である。
【００５４】
使用者は、図８（ａ）に示すように支持シート１１０の中央手前側に着座し、図８（ｂ）に示すように支持シート１１０上に横たわる。しかる後、作業者は、表示入力部１８０に対してマッサージの開始指示を入力する。マッサージの開始指示が入力されると、噴射部６０（図２（ｂ）参照）の駆動が開始され、使用者に対するマッサージが行われる。
【００５５】
＜実施の形態の効果＞
本実施の形態によれば、以下の効果が奏され得る。
【００５６】
図９（ａ）、（ｂ）は、使用者の着座時の支持シート１１０の状態を模式的に示す図である。図９（ａ）は、比較例として、支持カバー１３０が設けられていない場合の支持シート１１０の状態が示されている。
【００５７】
図９（ａ）を参照して、比較例の場合、使用者が着座すると、着座位置Ｐａが沈み込んでしまうため、使用者が着座時に後方に倒れてしまう惧れがある。本実施の形態の場合、図９（ｂ）に示すように、固定部材１４０（図５（ａ）参照）によって、支持シート１１０よりも沈み込むことがないように、ネット１３１の張力が調整されている。すなわち、ネット１３１は、支持シート１１０よりも沈み込みが抑制されるように、素材等が選択され、また、張架時の張力が調整される。したがって、着座時にネット１３１によって使用者が支持されるため、使用者が支持シート１１０に直接着座する場合に比べて、着座位置Ｐａが沈み込みにくく、使用者が着座時に後方に倒れることを防ぐことができる。このように、使用者は円滑に支持シート１１０に着座することができるため、使用者が支持シート１１０上に横たわる際の負担を効果的に軽減することができる。
【００５８】
図１０（ａ）、（ｂ）は、使用者へのマッサージ効果について説明する図である。
【００５９】
図１０（ａ）、（ｂ）に示すように、網目の間隔がある程度広くなるように、ネット１３１が張られている。したがって、使用者が横たわっている横臥位置Ｐｂのうちネット１３１の網目の隙間を介して使用者の背中にマッサージ効果を与えることができる。
【００６０】
このように、ネット１３１を有する支持カバー１３０によって、支持シート１１０の上部を覆うことによって、着座時の安定性を保ちつつ、使用者へ良好なマッサージ効果を与えることができる。
【００６１】
また、図４（ｃ）に示すように、固定部材１４０には、長孔１４２が形成されているため、固定部材１４０の位置を上下に移動させることで容易にネット１３１の張力を調整することができる。
【００６２】
また、図６（ｂ）に示すように、固定部材１４０は、剛性の高い支持枠２０に形成された橋架部材２３にネジ１４３によって固定されるため、安定して固定部材１４０を筐体１２０に取り付けることができる。また、橋架部材２３が上部材２１、下部材２２（図１参照）よりも突出するように形成されているため、支持枠２０と筐体１２０の間の隙間を埋めることができ、固定部材１４０を筐体１２０を介して支持枠２０に安定して固定することができる。
【００６３】
また、図３に示すように、支持カバー１３０は、それぞれ、帯部１３２、１３３に孔１３２ａ、１３３ａが設けられており、固定部材１４０、１５０は、それぞれ、突部１４１、１５１を有するため、容易に支持カバー１３０を筐体１２０から取り外しすることができる。
【００６４】
また、図６（ｃ）に示すように、カバー１６０によって、固定部材１４０の突部１４１が外部から覆われている。また、カバー１６０は、表面が曲面形状となっているため、使用者が突部１４１や固定部材１４０の角等に接触することを防ぐことができる。また、カバー１６０には、切り欠き１６１が設けられているため、切り欠き１６１と筐体１２０の側面との間の隙間に、支持カバー１３０のネット１３１を通すことができる。これにより、支持カバー１３０に無理な負荷をかけることなく、カバー１６０を筐体１２０に取り付けることができる。
【００６５】
＜変更例１＞
以上、本発明の実施の形態について説明したが、本発明は、上記実施の形態に何ら制限されるものではなく、本発明の構成例も他に種々の変更が可能である。
【００６６】
たとえば、上記実施の形態では、支持カバー１３０は、固定部材１４０、１５０によって、支持枠２０に装着されたが、直接、支持枠２０に支持カバー１３０がネジ留めされても良い。
【００６７】
図１１（ａ）は、変更例１に係る支持枠２０の構成を示す斜視図、図１１（ｂ）は、変更例１に係る筐体１２０と、固定部材１４０を示す斜視図である。
【００６８】
図１１（ａ）を参照して、支持枠２０には、Ｘ軸負側の橋架部材２３を繋ぐ橋架部材２５が形成されている。橋架部材２５は、上部材２１、下部材２２よりも外側に突出している。橋架部材２５には、多数のネジ孔２５ａが形成されている。
【００６９】
図１１（ｂ）を参照して、変更例１では、固定部材１５０が省略されている。変更例１に係る筐体１２０では、Ｘ軸負側の面に、支持枠２０のネジ孔２５ａと対向する位置に多数の孔１２５が形成されている。
【００７０】
組立時には、支持カバー１３０の孔１３３ａ（図３参照）が筐体１２０の孔１２５に整合されて、ネジ１３４が、孔１３３ａ、孔１２５を介して、支持枠２０のネジ孔２５ａに螺着される。これにより、支持カバー１３０の帯部１３３（図３参照）が、剛性の高い支持枠２０に対して固定される。
【００７１】
変更例１によれば、上記実施の形態に比べて、固定部材１５０を削減することができる。
【００７２】
ただし、変更例１の場合には、上記実施の形態に比べ、支持カバー１３０を多数のネジにより支持枠２０にネジ留めする必要があり、支持カバー１３０の付設作業が煩雑となる。したがって、付設作業を容易にするためには、上記実施の形態のように、突部１５１を有する固定部材１５０が支持枠２０に取り付けられた方が望ましい。
【００７３】
また、図１１（ａ）、（ｂ）では、固定部材１５０が省略され、支持カバー１３０の帯部１３３（図３参照）がネジ１３４によって、支持枠２０に固定される構成が示されたが、さらに固定部材１４０が省略されても良い。この場合、支持カバー１３０の帯部１３３がネジ留めされた後に、支持カバー１３０の帯部１３２を下方向に引っ張ることで、帯部１３２の孔１３２ａが筐体１２０に形成された孔および支持枠２０に形成されたネジ孔に整合する。この状態で、支持カバー１３０の帯部１３２が支持枠２０に固着される。
【００７４】
こうすると、部品点数をさらに削減できるものの、支持カバー１３０の付設作業がさらに煩雑となる。また、この場合、支持カバー１３０の両端がネジにより支持枠２０に固定されるため、ネット１３１の張力の調整をすることができない。したがって、図１１（ａ）、（ｂ）に示すように、支持カバー１３０の一端は、少なくとも、固定部材１４０によって支持枠２０に固定された方が望ましい。
【００７５】
＜変更例２＞
また、上記実施の形態では、支持カバー１３０は、別部材の固定部材１４０、１５０により、支持枠２０に固定されたが、支持カバー１３０の両端に固定部材が一体的に設けられていても良い。
【００７６】
図１２は、変更例２に係る支持カバー１３０と筐体１２０を示す斜視図である。
【００７７】
図１２を参照して、本変更例では、支持カバー１３０の帯部１３２、１３３に、それぞれ、接着剤等の所定の固着手段によって、細長い長方形の強固な板部材からなる固定部１３５、１３６が一体的に固着されている。図１２に示すように、帯部１３２、１３３には、孔が設けられておらず、固定部１３５、１３６にも、突部が設けられていない。固定部１３５、１３６は、それぞれ、帯部１３２、１３３よりもＹ軸方向の幅が広い。固定部１３５の両端には、長孔１３５ａが形成されており、固定部１３６の両端には、丸孔１３６ａが形成されている。
【００７８】
組立時には、支持カバー１３０の丸孔１３６ａが筐体１２０のネジ孔１２３に整合されて、ネジ１３８が、丸孔１３６ａ、ネジ孔１２３を介して、支持枠２０のネジ孔２３ａ（図２（ａ）参照）に螺着される。また、支持カバー１３０の長孔１３５ａが筐体１２０のネジ孔１２１に整合されて、ネジ１３７が、長孔１３５ａ、ネジ孔１２１を介して、支持枠２０のネジ孔２３ａ（図２（ａ）参照）に緩く螺着される。この状態で、固定部１３５
の上下方向の位置を調整することにより、ネット１３１の張力が調整される。そして、ネット１３１の張力が調整された状態で、ネジ１３７が締められ、固定部１３５が支持枠２０（図２（ａ）参照）に固着される。
【００７９】
変更例２によれば、上記実施の形態同様、ネット１３１により、使用者を安定的に支持することができる。
【００８０】
また、変更例２の場合、支持カバー１３０の帯部１３２、１３３に固定部１３５、１３６が固定されているため、ネット１３１が張られた状態では、筐体１２０から離れる方向に突部が突出することはない。したがって、上記実施の形態のように、カバー１６０、１７０を取り付けて突部を覆う必要がなく、部品点数を削減することができる。
【００８１】
なお、図１２の構成例では、固定部１３６に丸孔１３６ａが設けられたが、固定部１３５と同様の長孔が固定部１３６に設けられても良い。また、固定部１３６に長孔ではなく丸孔が設けられても良い。
【００８２】
＜変更例３＞
また、上記実施の形態では、固定部材１４０、１５０は、突部１４１、１５１が筐体１２０から離れるように、支持枠２０に装着されたが、突部１４１、１５１が筐体１２０に近づくように、固定部材１４０、１５０が支持枠２０に装着されてもよい。
【００８３】
図１３（ａ）は、変更例３に係る支持枠２０の構成を示す斜視図、図１３（ｂ）は、変更例１に係る筐体１２０と、固定部材１４０、１５０を示す斜視図である。
【００８４】
図１３（ａ）を参照して、支持枠２０は、橋架部材２３（図１参照）に代えて、上部材２１と下部材２２を繋ぐ柱部を橋架するように橋架部材２６が形成されている。橋架部材２６は、上部材２１、下部材２２よりも外側に突出している。橋架部材２６には、それぞれ、ネジ孔２６ａが形成されている。
【００８５】
図１３（ｂ）を参照して、変更例３に係る筐体１２０では、カバー１６０を取り付けるための開口１２２、１２４（図３参照）が省略されている。
【００８６】
固定部材１４０、１５０は、それぞれ、筐体１２０に近づく側に、多数の突部１４１、１５１が形成されている。固定部材１４０、１５０の両端には、それぞれ、肉厚部１４４、１５４が形成されている。肉厚部１４４、１５４は、突部１４１、１５１が形成されている部分よりも厚みが厚くなっている。肉厚部１４４、１５４には、それぞれ、長孔１４２、丸孔１５２が形成されている。
【００８７】
図１４（ａ）〜図１４（ｃ）は、固定部材１４０を装着する過程を説明する図である。図１４（ａ）は、固定部材１４０の装着前のＸＹ平面に平行な面の断面図、図１４（ｂ）は、固定部材１４０の装着後のＸＹ平面に平行な面の断面図である。図１４（ｃ）は、固定部材１４０の装着後のＸＺ平面に平行な面の断面図である。なお、図１４（ａ）〜図１４（ｃ）では、筐体１２０の１つの角の周辺が拡大して示されている。また、図１４（ａ）〜図１４（ｃ）では、水槽１０（図１参照）の図示が省略されている。
【００８８】
支持枠２０の橋架部材２６は、下部材２２よりも外側に突出しているため、筐体１２０と略当接している。筐体１２０が装着された状態でネジ孔１２１は、支持枠２０のネジ孔２６ａの位置と整合している。
【００８９】
組立時には、図１３（ｂ）に示すように、支持カバー１３０が装着された状態で固定部
材１５０が、Ｘ軸負側から筐体１２０の側面に押し当てられ、丸孔１５２およびネジ孔１２３を介して、橋架部材２６のネジ孔２６ａにネジ１５３が螺着される。次に、支持カバー１３０が装着された状態で固定部材１４０が、Ｘ軸正側から筐体１２０の側面に押し当てられ、長孔１４２およびネジ孔１２１を介して、橋架部材２６のネジ孔２６ａにネジ１４３が緩く螺着される。この状態で、固定部材１４０が下方に移動されて、ネット１３１の張力が調整される。ネット１３１の張力が調整されると、ネジ１４３が締められ、固定部材１４０が支持枠２０に固着される。
【００９０】
上記実施の形態同様、固定部材１４０は、剛性の高い支持枠２０に形成された橋架部材２６にネジ１４３によって固定されるため、安定して固定部材１４０を筐体１２０に取り付けることができる。
【００９１】
また、固定部材１４０の両端には、肉厚部１４４が形成されているため、図１４（ｃ）に示すように、突部１４１を筐体１２０側に位置付けることができる。
【００９２】
図１５は、変更例３に係る組み立て後のウォーターベッド１を示す斜視図である。
【００９３】
変更例３では、固定部材１４０の突部１４１（図１３（ｂ）参照）が筐体１２０側に位置付けられるため、上記実施の形態のように、カバー１６０（図７参照）を用いなくとも、使用者が固定部材１４０の突部１４１（図１３（ｂ）参照）に接触することを防ぐことができる。したがって、部品点数を削減することができ、コストを削減することができる。
【００９４】
なお、変更例３では、固定部材１４０は略直方体形状を有したが、角が面取りされていてもよい。さらに、ネジ１４３の頭部が外部に突出しないよう、固定部材１４０の長孔１４２の周辺が凹部となっていても良い。こうすると、カバー１６０を用いなくとも、より安全性を向上させることができる。
【００９５】
＜変更例４＞
また、上記実施の形態および変更例２、３では、固定部材１４０は、筐体１２０の平坦な側面に装着されたが、筐体１２０の側面に凹部が形成され、この凹部に固定部材１４０の突部１４１が嵌め込まれてもよい。
【００９６】
図１６（ａ）は、変更例４に係る支持枠２０の構成を示す斜視図、図１６（ｂ）は、変更例４に係る筐体１２０と、固定部材１４０、１５０を示す斜視図である。
【００９７】
図１６（ａ）を参照して、支持枠２０は、Ｚ軸負側の面を横断するように延びるように橋架部材２７が形成されている。橋架部材２７は、上部材２１、下部材２２よりも外側に突出している。橋架部材２７の両端には、それぞれ、ネジ孔２７ａが形成されている。
【００９８】
図１６（ｂ）を参照して、変更例４に係る筐体１２０では、Ｘ軸正側の側面に凹部１２６、Ｘ軸負側の側面に凹部１２７が形成されている。凹部１２６、１２７のＹ軸方向の幅、Ｚ軸方向の幅は、それぞれ、固定部材１４０、１５０のＹ軸方向の幅、Ｚ軸方向の幅よりもやや狭い。凹部１２６、１２７のＺ軸方向の幅は、突部１４１、１５１のＺ軸方向の幅よりもやや広い。凹部１２６、１２７のＸ軸方向の深さは、突部１４１、１５１のＸ軸方向の深さよりも深い。
【００９９】
変更例３と同様に、固定部材１４０、１５０は、それぞれ、筐体１２０側に、多数の突部１４１、１５１が形成されている。固定部材１４０、１５０の両端には、それぞれ、長孔１４２、丸孔１５２が形成されている。
【０１００】
図１７（ａ）〜図１７（ｃ）は、固定部材１４０を装着する過程を説明する図である。図１７（ａ）は、固定部材１４０の装着前のＸＹ平面に平行な面の断面図、図１７（ｂ）は、固定部材１４０の装着後のＸＹ平面に平行な面の断面図である。図１７（ｃ）は、固定部材１４０の装着後のＸＺ平面に平行な面の断面図である。なお、図１７（ａ）〜図１７（ｃ）では、筐体１２０の１つの角の周辺が拡大して示されている。また、図１７（ａ）〜図１７（ｃ）では、水槽１０（図１参照）の図示が省略されている。
【０１０１】
支持枠２０の橋架部材２７は、下部材２２よりも外側に突出しているため、筐体１２０と略当接している。筐体１２０が装着された状態でネジ孔１２１は、支持枠２０のネジ孔２７ａの位置と整合している。
【０１０２】
組立時には、図１６（ｂ）に示すように、支持カバー１３０が装着された状態で固定部材１５０が、Ｘ軸負側から筐体１２０の側面に押し当てられ、丸孔１５２およびネジ孔１２３を介して、橋架部材２７のネジ孔２７ａにネジ１５３が螺着される。次に、支持カバー１３０が装着された状態で固定部材１４０が、Ｘ軸正側から筐体１２０の側面に押し当てられ、長孔１４２およびネジ孔１２１を介して、橋架部材２７のネジ孔２７ａにネジ１４３が緩く螺着される。この状態で、固定部材１４０が下方に移動されて、ネット１３１の張力が調整される。ネット１３１の張力が調整されると、ネジ１４３が締められ、固定部材１４０が支持枠２０に固着される。こうして、図１８に示すウォーターベッド１が組み立てられる。図１８は、変更例４に係る組み立て後のウォーターベッド１を示す斜視図である。
【０１０３】
上記実施の形態同様、固定部材１４０は、剛性の高い支持枠２０に形成された橋架部材２７にネジ１４３によって固定されるため、安定して固定部材１４０を筐体１２０に取り付けることができる。
【０１０４】
また、筐体１２０には、凹部１２６が形成されているため、図１７（ｃ）に示すように、突部１４１を筐体１２０側に位置付けることができる。
【０１０５】
このように、突部１４１を筐体１２０の凹部１２６に収容することができるため、固定部材１４０と筐体１２０の側面により、支持カバー１３０の帯部１３２を挟み込むことができる。これにより、支持カバー１３０をより安定的に固定することができる。
【０１０６】
変更例４では、固定部材１４０の突部１４１（図１６（ｂ）参照）は、筐体１２０の凹部１２６（図１７（ｃ）参照）内に位置付けられるため、上記実施の形態のように、カバー１６０（図７参照）を用いなくとも、使用者が固定部材１４０の突部１４１（図１６（ｂ）参照）に接触することを防ぐことができる。したがって、部品点数を削減することができ、コストを削減することができる。
【０１０７】
また、凹部１２６に突部１４１が収容されるため、固定部材１４０を、筐体１２０の外側面に密着させて取り付けることができる。このため、変更例３に比べ、固定部材１４０の、筐体１２０から突出する突出量を小さくすることができるため、より安全性を高めることができる。
【０１０８】
＜変更例５＞
また、変更例４では、固定部材１４０の突部１４１のみが凹部１２６に収容されたが、固定部材１４０全体が嵌り込む凹部が設けられているようにしても良い。
【０１０９】
図１９（ａ）は、変更例５に係る筐体１２０と、固定部材１４０、１５０を示す斜視図
、
図１９（ａ）を参照して、変更例５に係る筐体１２０では、Ｘ軸正側の側面に凹部１２８、Ｘ軸負側の側面に凹部１２９が形成されている。さらに、凹部１２８の奥には、凹部１２６が形成され、凹部１２９の奥には、凹部１２７が形成されている。凹部１２８、１２９のＹ軸方向の幅は、固定部材１４０、１５０のＹ軸方向の幅よりも僅かに広く、凹部１２８、１２９のＺ軸方向の幅は、固定部材１４０、１５０のＺ軸方向の幅よりも広い。また、凹部１２８、１２９のＸ軸方向の深さは、固定部材１４０、１５０のＸ軸方向の厚みと略同じである。凹部１２６、１２７のＸ軸方向の深さは、変更例４と同様に、突部１４１、１５１のＸ軸方向の深さよりも深い。
【０１１０】
また、変更例３、４と同様に、固定部材１４０、１５０は、それぞれ、筐体１２０側に、多数の突部１４１、１５１が形成されている。固定部材１４０、１５０の両端には、それぞれ、長孔１４２、丸孔１５２が形成されている。
【０１１１】
組立時には、図１９（ａ）に示すように、支持カバー１３０が装着された状態で固定部材１５０が、Ｘ軸負側から筐体１２０の凹部１２９に嵌め込まれる。この状態で突部１５１が凹部１２７内に収容される。そして、丸孔１５２およびネジ孔１２３を介して、橋架部材２７のネジ孔２７ａ（図１６（ａ）参照）にネジ１５３が螺着される。
【０１１２】
次に、支持カバー１３０が装着された状態で固定部材１４０が、Ｘ軸正側から筐体１２０の凹部１２８に嵌め込まれる。この状態で、図１９（ｂ）に示すように、突部１４１が凹部１２８内に収容される。そして、長孔１４２およびネジ孔１２１を介して、橋架部材２７のネジ孔２７ａ（図１６（ａ）参照）にネジ１４３が緩く螺着される。
【０１１３】
凹部１２８は、固定部材１４０よりもＺ軸方向の幅が広く形成されているため、固定部材１４０を上下方向に移動させることができる。この状態で、固定部材１４０が下方に移動されて、ネット１３１の張力が調整される。ネット１３１の張力が調整されると、ネジ１４３が締められ、固定部材１４０が支持枠２０に固着される。こうして、図２０に示すウォーターベッド１が組み立てられる。図２０は、変更例５に係る組み立て後のウォーターベッド１を示す斜視図である。
【０１１４】
図１９（ｂ）に示すように、突部１４１を筐体１２０の凹部１２６に収容することができ、さらに、固定部材１４０を凹部１２８に嵌め込むことできるため、固定部材１４０と凹部１２８により、支持カバー１３０のネット１３１、帯部１３２を挟み込むことができる。これにより、支持カバー１３０をより安定的に固定することができる。
【０１１５】
また、変更例５の構成では、固定部材１４０の外側面が筐体１２０の外側面と略同一平面に位置付けられる。したがって、変更例４に比べ、より安全性を向上させることができる。
【０１１６】
＜その他の変更例＞
また、上記実施の形態では、固定部材１５０は、固定部材１４０と同様の形状を有し、支持枠２０に取り付けられたが、支持枠２０に支持カバー１３０の帯部１３３を固定するための構造が直接形成されていても良い。この場合、支持カバー１３０を支持枠２０に固定するための構造が外部に露出できるように、筐体１２０に開口が設けられる。
【０１１７】
また、上記実施の形態では、図３に示すように、筐体１２０のＸ軸正側とＸ軸負側に固定部材１４０、１５０が取り付けられたが、Ｙ軸正側とＹ軸負側に固定部材１４０、１５０が取り付けられても良い。
【０１１８】
また、上記実施の形態では、水槽１０内に充填される液体を水としたが、他の液体であっても良い。また、水槽１０内に直接液体が充填されずに、液体が充填された袋が水槽１０内に収容されても良い。
【０１１９】
この他、本発明の実施の形態は、特許請求の範囲に示された技術的思想の範囲内において、適宜、種々の変更が可能である。
【符号の説明】
【０１２０】
１  …  ウォーターベッド
１０  …  水槽
２０  …  支持枠
２３  …  橋架部材
２５〜２７  …  橋架部材
１１０  …  支持シート
１２０  …  筐体
１２６、１２７  …  凹部
１３０  …  支持カバー
１３１  …  ネット
１３２、１３３  …  帯部
１３２ａ、１３３ａ  …  孔
１３５、１３６  …  固定部
１４０、１５０  …  固定部材
１４１、１５１  …  突部
１４２  …  長孔
１６０  …  カバー
【図１】
2015112349.tif 000003
【図２】
2015112349.tif 000004
【図３】
2015112349.tif 000005
【図４】
2015112349.tif 000006
【図５】
2015112349.tif 000007
【図６】
2015112349.tif 000008
【図７】
2015112349.tif 000009
【図８】
2015112349.tif 000010
【図９】
2015112349.tif 000011
【図１０】
2015112349.tif 000012
【図１１】
2015112349.tif 000013
【図１２】
2015112349.tif 000014
【図１３】
2015112349.tif 000015
【図１４】
2015112349.tif 000016
【図１５】
2015112349.tif 000017
【図１６】
2015112349.tif 000018
【図１７】
2015112349.tif 000019
【図１８】
2015112349.tif 000020
【図１９】
2015112349.tif 000021
【図２０】
2015112349.tif 000022